(57)【特許請求の範囲】
【請求項１】
供給された冷媒と周囲を通過する外気との間で熱交換させる第１熱交換器と、対象室の内部空気が通過する空気通路に設置され、かつ供給された冷媒と通過する内部空気との間で熱交換させる第２熱交換器と、前記第１熱交換器又は前記第２熱交換器を通過した冷媒を断熱膨張させる膨張機構と、前記第１熱交換器又は前記第２熱交換器を通過した冷媒を吸引して圧縮する圧縮機とを冷媒管路で接続して構成された冷却ユニットと、
通常運転を行う場合には、前記圧縮機により圧縮された冷媒を前記第１熱交換器、前記膨張機構、前記第２熱交換器の順に正循環させることにより、前記内部空気を冷却する一方、除霜運転を行う場合には、前記圧縮機で圧縮された冷媒を前記第２熱交換器、前記膨張機構、前記第１熱交換器の順に逆循環させることにより、前記第２熱交換器に付着した霜を除去する制御手段と
を備えた冷却装置であって、
前記制御手段は、前記除霜運転を行う場合には、前記対象室と前記空気通路との間で空気を送風して循環させる送風手段の駆動を停止させ、前記逆循環の開始から予め決められた駆動停止時間が経過した後、あるいは前記対象室の内部温度が予め決められた基準温度に達した後に前記送風手段を駆動させるものであり、更に該送風手段を駆動させてから予め決められた除霜時間の経過後に該送風手段を駆動停止にさせることを特徴とする冷却装置。
【請求項２】
前記制御手段は、前記除霜運転を行う場合には、前記第２熱交換器の近傍に配設された加熱手段を駆動させることを特徴とする請求項１に記載の冷却装置。
【発明の詳細な説明】
【技術分野】
【０００１】
本発明は、冷却装置に関し、より詳細には、例えばアイスクリーム等の商品を取出可能な状態で収納するオープン平型のアイスケースに適用される冷却装置に関するものである。
【背景技術】
【０００２】
従来、例えばアイスクリーム等の商品を取出可能な状態で収納するオープン平型のアイスケースとして、ケース本体及び冷却ユニットを備えたものが知られている。
【０００３】
ケース本体は、上面に開口（以下、上面開口ともいう）が形成された直方状の断熱筐体であり、収納庫及び空気通路を有している。収納庫は、上面開口を臨む態様で設けられた室であり、商品を収納するものである。
【０００４】
空気通路は、収納庫と区画されて形成されており、吸込口及び吹出口を通じて該収納庫に連通している。この空気通路には、送風ファンが設けられている。送風ファンは、駆動することにより、上記吸込口を通じて収納庫の内部空気を空気通路に吸い込み、該空気通路を通過させた後に上記吹出口を通じて収納庫に吹き出させるようにして収納庫と空気通路との間で内部空気を循環させるものである。
【０００５】
冷却ユニットは、蒸発器、圧縮機、凝縮器及び膨張機構が冷媒管路に接続されて構成されている。蒸発器は、空気通路に設けられている。
【０００６】
圧縮機は、ケース本体の内部であって収納庫及び空気通路の外部となる機械室に設けられている。この圧縮機は、駆動する場合に、蒸発器を通過した冷媒を吸引して圧縮するものである。凝縮器は、機械室に設けられており、圧縮機で圧縮された冷媒を凝縮させるものである。膨張機構は、機械室に設けられており、凝縮器で凝縮した冷媒を断熱膨張させて蒸発器に送出するものである。
【０００７】
このような冷却ユニットでは、圧縮機が駆動することにより、蒸発器には膨張機構で断熱膨張した冷媒が供給される。これにより、蒸発器は、供給された冷媒と空気通路を通過する内部空気との間で熱交換させ、該冷媒が蒸発することにより該内部空気を冷却する。これにより、収納庫の内部空気は冷却され、該収納庫に収納される商品が冷却される。
【０００８】
そして、上記アイスケースにおいては、空気通路を通過する内部空気が水分を含むものであるので、収納庫の内部空気を冷却させる際に蒸発器に霜が付着してしまい、かかる霜を除去するための除霜運転を適宜行っている（例えば、特許文献１参照）。
【先行技術文献】
【特許文献】
【０００９】
【特許文献１】特開平６−４２８５５号公報
【発明の概要】
【発明が解決しようとする課題】
【００１０】
ところで、上記特許文献１には明示されていないが、アイスケースにおいて除霜運転を行う場合には、空気通路に配設されたヒータを駆動させつつ、該ヒータにより加熱された空気が蒸発器を通過するように送風ファンを駆動させるのが一般的である。
【００１１】
しかしながら、上記除霜運転では、収納庫に収納された商品の温度が上昇して該商品の品質が劣化してしまうことを防止する必要があるので、ヒータによる加熱量及び送風ファンの送風量がある程度制限する必要があり、結果的に除霜運転に要する時間の長大化を招来していた。
【００１２】
本発明は、上記実情に鑑みて、除霜運転に要する時間の短縮化を図ることができる冷却装置を提供することを目的とする。
【課題を解決するための手段】
【００１３】
上記目的を達成するために、本発明に係る冷却装置は、供給された冷媒と周囲を通過する外気との間で熱交換させる第１熱交換器と、対象室の内部空気が通過する空気通路に設置され、かつ供給された冷媒と通過する内部空気との間で熱交換させる第２熱交換器と、前記第１熱交換器又は前記第２熱交換器を通過した冷媒を断熱膨張させる膨張機構と、前記第１熱交換器又は前記第２熱交換器を通過した冷媒を吸引して圧縮する圧縮機とを冷媒管路で接続して構成された冷却ユニットと、通常運転を行う場合には、前記圧縮機により圧縮された冷媒を前記第１熱交換器、前記膨張機構、前記第２熱交換器の順に正循環させることにより、前記内部空気を冷却する一方、除霜運転を行う場合には、前記圧縮機で圧縮された冷媒を前記第２熱交換器、前記膨張機構、前記第１熱交換器の順に逆循環させることにより、前記第２熱交換器に付着した霜を除去する制御手段とを備えた冷却装置であって、前記制御手段は、前記除霜運転を行う場合には、前記対象室と前記空気通路との間で空気を送風して循環させる送風手段の駆動を停止させ、前記逆循環の開始から予め決められた駆動停止時間が経過した後、あるいは前記対象室の内部温度が予め決められた基準温度に達した後に前記送風手段を駆動させることを特徴とする。
【００１４】
また本発明は、上記冷却装置において、前記制御手段は、前記除霜運転を行う場合には、前記第２熱交換器の近傍に配設された加熱手段を駆動させることを特徴とする。
【発明の効果】
【００１５】
本発明によれば、制御手段が、除霜運転を行う場合には、圧縮機で圧縮された冷媒を第２熱交換器、膨張機構、第１熱交換器の順に逆循環させながら対象室と空気通路との間で空気を送風して循環させる送風手段の駆動を停止させるので、第２熱交換器を含めた周囲温度を比較的短時間で上昇させることができ、第２熱交換器に付着した霜を除去することができる。そして、制御手段が、逆循環の開始から予め決められた駆動停止時間が経過した後、あるいは対象室の内部温度が予め決められた基準温度に達した後に送風手段を駆動させるので、圧縮機が高圧異常等で駆動停止してしまう前に対象室と空気通路との間で空気を循環させることができる。これにより、第２熱交換器の周囲の空気通路に付着した霜等も融解させることができるとともに、圧縮機が駆動停止してしまうことを抑制できる。従って、除霜運転に要する時間の短縮化を図ることができるという効果を奏する。
【図面の簡単な説明】
【００１６】
【図１】図１は、本発明の実施の形態である冷却装置が適用されたアイスケースの縦断面を示す縦断面図である。
【図２】図２は、図１に示した冷却装置の構成要素の一部を示す概念図である。
【図３】図３は、冷却装置の制御系を模式的に示すブロック図である。
【図４】図４は、図３に示した制御部が実施する除霜制御処理の処理内容を示すフローチャートである。
【発明を実施するための形態】
【００１７】
以下に添付図面を参照して、本発明に係る冷却装置の好適な実施の形態について詳細に説明する。
【００１８】
図１は、本発明の実施の形態である冷却装置が適用されたアイスケースの縦断面を示す縦断面図である。ここで例示するアイスケースは、ケース本体１０を備えている。
【００１９】
ケース本体１０は、上面に開口（以下、上面開口ともいう）１０ａが形成された直方状の断熱筐体である。このケース本体１０は、その内部に収納室（対象室）１１及び空気通路１２が画成されているとともに、冷却装置２０が設けられている。
【００２０】
収納室１１は、上記上面開口１０ａを臨む態様で画成された室であり、内部に例えばアイスクリーム等の商品が収容された網目構造のかご状物を収納するためのものである。また収納室１１の後方上部には吸込口１３が形成されているとともに、収納室１１の前方上部には吹出口１４が形成されている。
【００２１】
吸込口１３は、収納室１１の内部の空気を吸い込むための開口であり、収納室１１の左右方向に沿って延設されている。吹出口１４は、収納室１１の内部に空気を吹き出すための開口である。この吹出口１４は、収納室１１の左右方向に延設されている。
【００２２】
空気通路１２は、吸込口１３から吹出口１４に至る空気の風路である。この空気通路１２は、吸込口１３に連通し、かつ収納室１１外であってその後方にある後方側通路１２ａと、収納室１１外であってその下方にある下方側通路１２ｂと、収納室１１外であってその前方にあり、かつ上記吹出口１４に連通する前方側通路１２ｃとを互いに連通した態様で構成されている。
【００２３】
図２は、図１に示した冷却装置２０の構成要素の一部を示す概念図であり、図３は、冷却装置２０の制御系を模式的に示すブロック図である。これら図２及び図３に示すように、冷却装置２０は、冷却ユニット２１と制御部（制御手段）２２とを備えて構成されている。
【００２４】
冷却ユニット２１は、冷媒回路３０及び送風ファン（送風手段）Ｆを備えて構成されている。冷媒回路３０は、主経路３０ａ、高圧冷媒導入経路３０ｂ、放熱経路３０ｃ及びバイパス経路３０ｄを有しており、内部に冷媒が封入されている。
【００２５】
主経路３０ａは、圧縮機３１、三方弁３２、庫外熱交換器（第１熱交換器）３３、第１膨張機構３４及び庫内熱交換器（第２熱交換器）３５を冷媒管路３６にて適宜接続して構成されている。
【００２６】
圧縮機３１は、図１に示すようにケース本体１０の機械室１５に配設されている。この圧縮機３１は、制御部２２から与えられる指令に応じて駆動するものであり、駆動する場合に、冷媒を吸引し、吸引した冷媒を圧縮して高温高圧の状態（高温高圧冷媒）にして吐出するものである。
【００２７】
三方弁３２は、１つの入口３２ａと、２つの出口（第１出口３２ｂ、第２出口３２ｃ）とを有しており、制御部２２から与えられる指令に応じて、入口３２ａと第１出口３２ｂとを連通する第１送出状態、入口３２ａと第２出口３２ｃとを連通する第２送出状態のいずれかに切換可能な切換バルブである。この三方弁３２の入口３２ａは、圧縮機３１に連結された冷媒管路３６が接続されている。
【００２８】
庫外熱交換器３３は、図１に示すように圧縮機３１と同様に機械室１５に配設されている。この庫外熱交換器３３は、通過する冷媒と周囲を通過する外気とを熱交換させるものである。かかる庫外熱交換器３３の近傍には図示せぬ庫外ファンが設けられている。この庫外熱交換器３３の入口に連結された冷媒管路３６は、三方弁３２の第１出口３２ｂに接続されている。
【００２９】
第１膨張機構３４は、図１に示すように圧縮機３１及び庫外熱交換器３３と同様に機械室１５に配設されている。この第１膨張機構３４は、例えば電子膨張弁やキャピラリーチューブ等により構成されるもので、庫外熱交換器３３を通過した冷媒を減圧して断熱膨張させるものである。この第１膨張機構３４の入口は、庫外熱交換器３３の出口に接続された冷媒管路３６に接続されており、かかる冷媒管路３６の途中に高圧電磁弁３７が設けられている。高圧電磁弁３７は、制御部２２から与えられる指令に応じて開閉するものであり、開成する場合には、庫外熱交換器３３から第１膨張機構３４への冷媒の通過を許容する一方、閉成する場合には、庫外熱交換器３３から第１膨張機構３４への冷媒の通過を規制するものである。
【００３０】
庫内熱交換器３５は、図１に示すように空気通路１２に配設されている。この庫内熱交換器３５は、入口が第１膨張機構３４の出口に接続された冷媒管路３６に接続されており、その冷媒管路３６の途中には逆止弁３８が設けられている。この庫内熱交換器３５の出口に接続された冷媒管路３６は、圧縮機３１の入口に接続されており、その途中に第１低圧電磁弁３９が設けられている。第１低圧電磁弁３９は、制御部２２から与えられる指令に応じて開閉するものであり、開成する場合には、庫内熱交換器３５から圧縮機３１への冷媒の通過を許容する一方、閉成する場合には、庫内熱交換器３５から圧縮機３１への冷媒の通過を規制するものである。
【００３１】
高圧冷媒導入経路３０ｂは、高圧冷媒管路４０を有している。高圧冷媒管路４０は、一端が三方弁３２の第２出口３２ｃに接続され、かつ他端が庫内熱交換器３５の入口に接続された冷媒管路３６の逆止弁３８よりも下流側となる第１合流点Ｐ１に合流するものである。この高圧冷媒管路４０は、三方弁３２により冷媒の導入が許容される場合に、圧縮機３１で圧縮された高圧冷媒を庫内熱交換器３５に供給するものである。
【００３２】
放熱経路３０ｃは、放熱管路４１を備えて構成されている。放熱管路４１は、庫内熱交換器３５の出口側に接続された冷媒管路３６の途中の第１分岐点Ｐ２で分岐され、三方弁３２と庫外熱交換器３３との間の冷媒管路３６の第２合流点Ｐ３で合流する態様で該冷媒管路３６に接続されている。
【００３３】
この放熱管路４１の途中には、第２膨張機構４２及び第２低圧電磁弁４３が設けられている。第２膨張機構４２は、例えば電子膨張弁やキャピラリーチューブ等により構成されるもので、放熱管路４１を通過する冷媒を減圧して断熱膨張させるものである。
【００３４】
第２低圧電磁弁４３は、制御部２２から与えられる指令に応じて開閉するものであり、開成する場合には、冷媒が放熱管路４１を通過することを許容する一方、閉成する場合には、冷媒が放熱管路４１を通過することを規制するものである。
【００３５】
バイパス経路３０ｄは、バイパス管路４４及びバイパス弁４５を備えて構成されている。バイパス管路４４は、庫外熱交換器３３の出口に接続された冷媒管路３６において高圧電磁弁３７の上流側となる第２分岐点Ｐ４から分岐し、かつ圧縮機３１の入口に接続された冷媒管路３６の第３合流点Ｐ５で合流する態様で該冷媒管路３６に接続されている。
【００３６】
バイパス弁４５は、開閉可能な弁体であり、開成する場合には、冷媒がバイパス管路４４を通過することを許容する一方、閉成する場合には、冷媒がバイパス管路４４を通過することを規制するものである。
【００３７】
送風ファンＦは、下方側通路１２ｂの所定部位に配設されている。この送風ファンＦは、制御部２２から与えられる指令に応じて駆動するものであり、駆動する場合には、吸込口１３を通じて収納室１１の内部空気を吸い込み、吸い込んだ内部空気を後方側通路１２ａ、下方側通路１２ｂ、前方側通路１２ｃの順に空気通路１２を通過する態様で吹出口１４まで送出し、吹出口１４を通じて収納室１１の内部に吹き出すもので、収納室１１の内部と空気通路１２との間で空気を循環させるものである。
【００３８】
制御部２２は、メモリ２３に記憶されたプログラムやデータに従って冷却装置２０の各部の動作を統括的に制御するものであり、入力処理部２２ａ、判定処理部２２ｂ、圧縮機駆動処理部２２ｃ、バルブ駆動処理部２２ｄ及びファン駆動処理部２２ｅを備えている。尚、制御部２２は、例えばＣＰＵ（Ｃｅｎｔｒａｌ  Ｐｒｏｃｅｓｓｉｎｇ  Ｕｎｉｔ）等の処理装置にプログラムを実行させること、すなわちソフトウェアにより実現してもよいし、ＩＣ（Ｉｎｔｅｇｒａｔｅｄ  Ｃｉｒｃｕｉｔ）等のハードウェアにより実現してもよいし、ソフトウェア及びハードウェアを併用して実現してもよい。
【００３９】
入力処理部２２ａは、例えばリモートコントローラやキーボード等の入力手段２４から与えられる指令信号を入力するものである。本実施の形態においては、例えば入力手段２４から与えられる除霜開始時刻情報や除霜時間に関する情報を入力し、その後にメモリ２３に記憶させるものである。また、メモリ２３には、駆動停止時間に関する情報が記憶されている。
【００４０】
この駆動停止時間は、後述する除霜制御処理において、送風ファンＦを一時的に駆動停止にさせるための時間である。この駆動停止時間は、庫内熱交換器３５及びその周囲を十分に加熱するために決められた時間であり、圧縮機３１が高圧異常等で駆動停止してしまう前に終了するようにその上限値が決められている。
【００４１】
判定処理部２２ｂは、内蔵する時計を通じて時間の計測を行い、計測時間がメモリ２３に記憶された駆動停止時間を経過したか否かを判定するものである。圧縮機駆動処理部２２ｃは、圧縮機３１に駆動指令又は駆動停止指令を与えて、圧縮機３１を駆動又は駆動停止にさせるものである。バルブ駆動処理部２２ｄは、三方弁３２に対して切換指令を与えて第１送出状態又は第２送出状態にさせるものである。またバルブ駆動処理部２２ｄは、高圧電磁弁３７、第１低圧電磁弁３９、第２低圧電磁弁４３及びバイパス弁４５に対して開閉指令を与えてこれらを開閉させるものである。ファン駆動処理部２２ｅは、送風ファンＦに駆動指令又は駆動停止指令を与えて、送風ファンＦを駆動又は駆動停止にさせるものである。
【００４２】
以上のような構成を有する冷却装置２０においては、通常運転を行う場合には、制御部２２が圧縮機駆動処理部２２ｃを通じて圧縮機３１に駆動指令を送出するとともに、ファン駆動処理部２２ｅを通じて送風ファンＦに駆動指令を送出する。
【００４３】
また制御部２２は、バルブ駆動処理部２２ｄを通じて三方弁３２を第１送出状態にさせつつ、高圧電磁弁３７及び第１低圧電磁弁３９に開指令を与えて開成させ、かつ第２低圧電磁弁４３及びバイパス弁４５に閉指令を与えて閉成させる。
【００４４】
このように送風ファンＦが駆動することにより、収納室１１の内部空気は、吸込口１３を通じて吸い込まれて、後方側通路１２ａ、下方側通路１２ｂ、前方側通路１２ｃの順に空気通路１２を通過する態様で吹出口１４まで送出され、吹出口１４を通じて収納室１１の内部に吹き出される。これにより、収納室１１の内部と空気通路１２との間で収納室１１の内部空気を循環させることができる。
【００４５】
圧縮機３１を駆動させることにより、冷却ユニット２１では、圧縮機３１で圧縮された冷媒が次のように正循環する。
【００４６】
圧縮機３１で圧縮された冷媒は、第１送出状態の三方弁３２を通過して冷媒管路３６を経由して庫外熱交換器３３に至る。庫外熱交換器３３に至った冷媒は、該庫外熱交換器３３を通過中に、周囲空気（外気）に放熱して凝縮する。庫外熱交換器３３で凝縮した冷媒は、第１膨張機構３４により断熱膨張して庫内熱交換器３５に至り、庫内熱交換器３５で蒸発して空気通路１２を通過する内部空気から熱を奪い、該内部空気を冷却する。庫内熱交換器３５で蒸発した冷媒は、圧縮機３１に吸引され、その後に圧縮されて主経路３０ａの通過を繰り返す。
【００４７】
このような通常運転を行うことにより、送風ファンＦにより収納室１１と空気通路１２との間で循環する内部空気は蒸発器で冷却されることになり、これにより、収納室１１の内部空気が冷却され、該収納室１１に収納される商品が冷却される。
【００４８】
そして、現在時刻がメモリ２３に記憶された除霜開始時刻を経過した場合、制御部２２は、次のような除霜制御処理を実施する。尚、この除霜制御処理の前提として圧縮機３１及び送風ファンＦは駆動しているものとして説明する。
【００４９】
図４は、図３に示した制御部２２が実施する除霜制御処理の処理内容を示すフローチャートである。
【００５０】
この除霜制御処理において制御部２２は、圧縮機駆動処理部２２ｃを通じて圧縮機３１に駆動停止指令を送出して（ステップＳ１０１）、圧縮機３１を駆動停止にさせるとともに、ファン駆動処理部２２ｅを通じて送風ファンＦに駆動停止指令を送出して（ステップＳ１０２）、送風ファンＦを駆動停止にさせる。
【００５１】
そして、制御部２２は、バルブ駆動処理部２２ｄを通じて三方弁３２に切換指令を送出するとともに、第２低圧電磁弁４３及びバイパス弁４５に開指令を送出し、かつ第１低圧電磁弁３９及び高圧電磁弁３７に閉指令を送出する（ステップＳ１０３，ステップＳ１０４，ステップＳ１０５）。
【００５２】
制御部２２は、このようなステップＳ１０３〜Ｓ１０５の処理を行った後、圧縮機駆動処理部２２ｃを通じて圧縮機３１に駆動指令を送出して（ステップＳ１０６）、圧縮機３１を駆動させる。
【００５３】
このように圧縮機３１を駆動させることにより、冷却ユニット２１では、圧縮機３１で圧縮された冷媒が次のように逆循環する。
【００５４】
圧縮機３１で圧縮された冷媒は、第２送出状態の三方弁３２を介して高圧冷媒管路４０を通過する。高圧冷媒管路４０を通過した冷媒は、庫内熱交換器３５に至る。庫内熱交換器３５に至った冷媒は、該庫内熱交換器３５を通過中に、空気通路１２の内部空気と熱交換し、該内部空気に放熱して凝縮する。これにより、庫内熱交換器３５の周囲の空気を加熱する。
【００５５】
庫内熱交換器３５で凝縮した冷媒は、放熱管路４１に至り、第２膨張機構４２で断熱膨張し、その後に庫外熱交換器３３に至り、該庫外熱交換器３３で周囲空気（外気）と熱交換を行う。庫外熱交換器３３を通過した冷媒は、バイパス管路４４に至り、該バイパス管路４４を通過して圧縮機３１に吸引され、その後に上述した経路の通過を繰り返す。
【００５６】
このとき、送風ファンＦの駆動が停止しているので、収納室１１の内部空気が収納室１１と空気通路１２との間で循環されることが停止されている。そのため、庫内熱交換器３５での冷媒の放熱により該庫内熱交換器３５の周囲が加熱される。このように庫内熱交換器３５の周囲が加熱されるが、送風ファンＦにより空気が通過しないので、庫内熱交換器３５での放熱量が十分に確保されず、結果的に圧縮機３１から圧縮されて吐出される冷媒の温度も上昇する。これにより庫内熱交換器３５を含めたその周囲温度は比較的短時間で上昇する。これにより庫内熱交換器３５に付着した霜が融解する。
【００５７】
上記ステップＳ１０５を実施した制御部２２は、判定処理部２２を通じて、冷却ユニット２１における冷媒の逆循環を開始した時点から時間の計測を開始してメモリ２３から読み出した駆動停止時間の経過待ちとなる（ステップＳ１０７）。
【００５８】
判定処理部２２ｂを通じて計測時間が駆動停止時間を経過したものと判定した場合（ステップＳ１０７：Ｙｅｓ）、制御部２２は、判定処理部２２ｂでの時間の計測を停止しつつ圧縮機駆動処理部２２ｃを通じて圧縮機３１に駆動停止指令を送出して（ステップＳ１０８）、圧縮機３１を駆動停止にさせる。
【００５９】
このように圧縮機３１を駆動停止にさせた制御部２２は、ファン駆動処理部２２ｅを通じて送風ファンＦに駆動指令を送出し（ステップＳ１０９）、メモリ２３から読み出した除霜時間の経過待ちとなる（ステップＳ１１０）。
【００６０】
このように送風ファンＦが駆動することにより、収納室１１と空気通路１２との間で空気が循環し、これにより、庫内熱交換器３５の周囲の空気通路１２等に付着した霜等も融解させることができる。
【００６１】
その後、除霜時間が経過した場合（ステップＳ１１０：Ｙｅｓ）、制御部２２は、ファン駆動処理部２２ｅを通じて送風ファンＦに駆動停止指令を送出して（ステップＳ１１１）、その後に手順をリターンさせて今回の除霜制御処理を終了する。
【００６２】
以上説明したように、本実施の形態である冷却装置２０においては、制御部２２が、除霜運転を行う場合には、圧縮機３１で圧縮された冷媒を庫内熱交換器３５、第２膨張機構４２、庫外熱交換器３３の順に循環（逆循環）させながら収納室１１と空気通路１２との間で空気を送風して循環させる送風ファンＦの駆動を停止させるので、庫内熱交換器３５を含めた周囲温度を比較的短時間で上昇させることができ、庫内熱交換器３５に付着した霜を除去することができる。そして、制御部２２が、逆循環の開始から予め決められた駆動停止時間が経過した後に送風ファンＦを駆動させるので、圧縮機３１が高圧異常等で駆動停止してしまう前に収納室１１と空気通路１２との間で空気を循環させることができる。これにより、庫内熱交換器３５の周囲の空気通路１２に付着した霜等も融解させることができるとともに、圧縮機３１が駆動停止してしまうことを抑制できる。従って、上記冷却装置２０によれば、除霜運転に要する時間の短縮化を図ることができる。
【００６３】
また上記冷却装置２０によれば、除霜運転を行うことで、庫内熱交換器３５のみだけでなく、該庫内熱交換器３５の周囲の霜等も除去することができるので、除霜運転により適用されるアイスケースの品質を向上させることができる。
【００６４】
以上、本発明の好適な実施の形態について説明したが、本発明は、これに限定されるものではなく、種々の変更を行うことができる。
【００６５】
上述した実施の形態では、除霜制御処理において、ステップＳ１０７において、逆循環の開始から予め決められた駆動停止時間が経過した後に送風ファンＦを駆動させていたが、本発明においては、逆循環を開始させてから、温度検出手段を通じて検出された対象室（収納室１１）の内部温度が予め決められた基準温度に達した後に送風手段（送風ファンＦ）を駆動させるようにしてもよい。
【００６６】
本発明においては、第２熱交換器（庫内熱交換器３５）の近傍にヒータ等の加熱手段が設けられている場合には、除霜運転を行う場合に、加熱手段を駆動させてもよい。これにより、第２熱交換器を含めて周囲温度を短期間で上昇させることができ、除霜を確実に行うことができる。
【符号の説明】
【００６７】
１１  収納室
１２  空気通路
２０  冷却装置
２１  冷却ユニット
２２  制御部（制御手段）
２３  メモリ
３０  冷媒回路
３０ａ  主経路
３０ｂ  高圧冷媒導入経路
３０ｃ  放熱経路
３０ｄ  バイパス経路
３１  圧縮機
３２  三方弁
３３  庫外熱交換器（第１熱交換器）
３４  第１膨張機構
３５  庫内熱交換器（第２熱交換器）
３６  冷媒管路
Ｆ  送風ファン（送風手段）
【図１】
0006690290.tif 000002
【図２】
0006690290.tif 000003
【図３】
0006690290.tif 000004
【図４】
0006690290.tif 000005